(57)【要約】      （修正有）【課題】使用者が把持しやすいカメラ把持装置を提供する。【解決手段】滑り台と、滑り台に滑動可能に設けられる把持装置２２と、滑り台及び把持装置を枢設させる枢設セットと、把持装置及び滑り台を連結させる弾性部品４と、把持装置に内設される複数の摩耗防止パッド２６１、２６２とを備える。さらに、滑り台は、滑り台本体１２１と、滑り台本体の前端面及び後端面にそれぞれ形成される２つの位置限定ピン１２６及び後端収納溝と、滑り台本体を貫通させて形成される滑溝１２５と、上下に配置されて滑り台本体の同側の端面に形成される２つの上部位置決め溝１３１及び下部位置決め溝１３２とを有する。また、把持装置は、把持本体２２１と、把持本体の後端面に形成されると共に滑り台を収容させるための溝部２２２と、溝部に形成されると共に滑り台の滑溝に挿通されるロックピン２２５とを有する。各摩耗防止パッドは後端収納溝の両側に対称に固設される。【選択図】図３
0003199747.tif 000002
【実用新案登録請求の範囲】
【請求項１】
滑り台本体と、前記滑り台本体の前端面に形成される位置限定ピンと、前記滑り台本体の後端面に形成される後端収納溝と、前記滑り台本体の延伸方向に沿って前記滑り台本体を貫通して形成される滑溝と、上下に配置されて前記滑り台本体の同側の端面に形成される上部位置決め溝及び下部位置決め溝とを有する滑り台と、
前記滑り台の外周縁に滑動可能に覆設され、前記滑り台に沿って第一位置及び第二位置の間で滑動し、把持本体と、前記把持本体の前端面に形成される把持面と、前記把持本体の後端面に形成されると共にそれの延伸方向に沿って形成されると共に前記滑り台を収容収容する溝部と、前記溝部に形成されると共に前記滑溝に挿通される少なくとも１つのロックピンとを有する把持装置と、
前記滑り台及び前記把持装置を枢設させ、ワッシャー及び前記ワッシャーに挿通した後に前記ロックピンに螺接されるボルトを少なくとも有する枢設セットと、
両両端が前記位置限定ピン及び前記ロックピンにそれぞれ環装され、前記把持装置に支持力を提供する弾性部品と、
前記後端収納溝の両側に対称に固設され、それらの内の何れか１つが前記上部位置決め溝及び前記下部位置決め溝に対応する位置決め用凸部を有する複数の摩耗防止パッドとを備え、
ここでは、弾性部品、位置決め用凸部、前記上部位置決め溝、及び前記下部位置決め溝は相互に作用し、前記把持装置を前記滑り台に対する第一位置或いは第二位置に位置を限定させることを特徴とするカメラ把持装置。
【請求項２】
前記滑り台本体の上端及び底端の両端にはさらに第一吸着部品がそれぞれ設置され、前記溝部の上端及び底端の両端にはさらに前記第一吸着部品に組み合わせられる第二吸着部品がそれぞれ設置されることを特徴とする、請求項１に記載のカメラ把持装置。
【請求項３】
前記溝部上端及び底端の両端には、前記第二吸着部品の収容に用いられる内部嵌め溝がそれぞれ設けられ、前記滑り台本体の上端及び底端の両端には前記内部嵌め溝の位置に対応する外部嵌め溝がそれぞれ設けられ、前記第一吸着部品の収容に使用されることを特徴とする、請求項２に記載のカメラ把持装置。
【請求項４】
前記溝部は対称になる複数の仕切り板をさらに有し、各前記仕切り板の対称になる上端及び底端の両端は上フック部及び下フック部をそれぞれ有し、各前記摩耗防止パッドは前記上フック部及び前記下フック部に対応する相互に組み合わせられる２つの上端フック部品及び下端フック部品を具備することを特徴とする、請求項３に記載のカメラ把持装置。
【請求項５】
前記滑り台本体の後端面には、背面カバーがさらに覆設されることを特徴とする、請求項１に記載のカメラ把持装置。
【請求項６】
前記溝部上端及び底端の両端には、前記第二吸着部品を収容させるための内部嵌め溝がそれぞれ設けられることを特徴とする、請求項５に記載のカメラ把持装置。
【請求項７】
前記滑り台本体の上端及び底端には前記内部嵌め溝の位置に対応する外部嵌め溝がそれぞれ設けられ、前記外部嵌め溝には滑り台螺合孔が設けられ、前記背面カバーは背面カバー本体と、前記背面カバー本体の上端及び底端に設置されて前記背面カバー本体の前端面に向けて延伸される２枚の上部ロック板及び下部ロック板と、前記上部ロック板及び前記下部ロック板を貫通して形成されると共に各前記滑り台螺合孔に組み合わせられる複数のロック孔とを有し、前記上部ロック板及び前記下部ロック板が前記外部嵌め溝に挿着されることでロック部品を挿通させてロックし、前記背面カバーを前記滑り台本体の後端面に固設することを特徴とする、請求項６に記載のカメラ把持装置。
【請求項８】
前記溝部は対称になる複数の仕切り板をさらに有し、各前記仕切り板の対称になる上端及び底端には上フック部及び下フック部をそれぞれ有し、各前記摩耗防止パッドは前記上フック部及び前記下フック部に対応する相互に組み合わせられる２つの上端フック部品及び下端フック部品を有することを特徴とする、請求項７に記載のカメラ把持装置。
【考案の詳細な説明】
【技術分野】
【０００１】
本考案は、使用者が把持しやすいカメラ把持装置に関する。
【背景技術】
【０００２】
現在市場に出回るデジタルカメラは、カメラケースの側辺に凸状に隆起する把持装置が設けられ、使用者がより安定的にカメラを把持できるようにしている。
【考案の概要】
【考案が解決しようとする課題】
【０００３】
しかしながら、前述した従来の技術では、上述の把持装置がカメラケースに固設されるため、使用者が自由に調整できず、使用者がカメラを持って使用する際に使いにくかった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものであり、その目的とすることろは、カメラ把持装置を提供する。即ち、使用者が把持しやすい構造設計にし、需要に応じて把持棒になるように調整可能にすることで、使用者がカメラを持ちやすくなる。
【課題を解決するための手段】
【０００６】
上述した課題を解決し、目的を達成するために、本考案に係るカメラ把持装置は、滑り台と、滑り台に滑動可能に設置される把持装置と、滑り台及び把持装置を枢設させる枢設セットと、把持装置及び滑り台を連結させる弾性部品と、把持装置に内設される複数の摩耗防止パッドとを備える。さらに、前記滑り台は、滑り台本体と、滑り台本体の前端面及び後端面にそれぞれ形成される２つの位置限定ピン及び後端収納溝と、滑り台本体を貫通させて形成される滑溝と、上下に配置されて滑り台本体の同側の端面に形成される２つの上部位置決め溝及び下部位置決め溝とを有する。また、前記把持装置は、把持本体と、把持本体の後端面に形成されると共に滑り台を収容させるための溝部と、溝部に形成されると共に滑り台の滑溝に挿通されるロックピンとを具備する。各摩耗防止パッドは、後端収納溝の両側に対称に固設され、且つその内の何れかの１つは上部位置決め溝及び下部位置決め溝に組み合わせられる位置決め用凸部を有する。上述の部品構成により、カメラに設置されると、把持装置が滑り台に沿って第一位置及び第二位置の間で調整が行われ、使用者がカメラを把持しやすくなる。
【考案の効果】
【０００７】
本考案によれば、使用者が把持しやすいカメラ把持装置を提供する。
【図面の簡単な説明】
【０００８】
【図１】本考案に係るカメラ把持装置を示す外観斜視図（一）である。
【図２】本考案に係るカメラ把持装置を示す外観斜視図（二）である。
【図３】本考案に係るカメラ把持装置を示す展開図である。
【図４】図３に示す実施形態の部分部品により構成される概念図である。
【図５】図１に示す実施形態の他の角度から見た概念図である。
【図６】図３に示す実施形態の部分部品により構成される概念図である。
【図７】本考案に係るカメラ把持装置を示す断面図である。
【図８】本考案に係るカメラ把持装置の作動を示す概念図（一）である。
【図９】本考案に係るカメラ把持装置の作動を示す概念図（二）である。
【図１０】本考案の他の実施形態に係るカメラ把持装置を示す展開図である。
【図１１】本考案の他の実施形態に係るカメラ把持装置を示す断面図である。
【考案を実施するための形態】
【０００９】
以下に図面を参照して、本考案を実施するための形態について、詳細に説明する。なお、本考案は、以下に説明する実施形態に限定されるものではない。
【００１０】
（第１実施形態）
本考案の実施方式について理解を促すため、以下では同じ部品は同じ符号で標示して説明する。以下、本考案の第１実施形態を図１〜９に基づいて説明する。本考案に係るカメラ把持装置１００は、滑り台構成１と、滑り台構成１に滑動可能に設置される把持構成２と、滑り台構成１及び把持構成２を枢設させる枢設セット３と、把持構成２に当接される弾性部品４とを備える。
【００１１】
上述の滑り台構成１は、滑り台１２及び複数の第一吸着部品１４を備える。前記滑り台１２は、滑り台本体１２１と、滑り台本体１２１の前端面に形成される前端収納溝１２２と、滑り台本体１２１の後端面に形成される貼り付け面１２３と、滑り台本体１２１の後端面に形成される後端収納溝１２４と、滑り台本体１２１の延伸方向に沿って滑り台本体１２１を貫通させて形成されると共に前端収納溝１２２及び後端収納溝１２４に連通される滑溝１２５と、前端収納溝１２２に形成される位置限定ピン１２６と、滑り台本体１２２の上端及び底端に形成される複数の外部嵌め溝１２７と、上下に配置されて滑り台本体１２１の同側(左側或いは右側)の端面に形成される２つの上部位置決め溝１３１及び下部位置決め溝１３２とを有する。実施する時には、前記貼り付け面１２３はカメラＰの輪郭に対応して形成される曲面である。
【００１２】
前記第一吸着部品１４は各外部嵌め溝１２７にそれぞれ嵌設される。実施する時には、第一吸着部品１４は磁石或いは磁性金属から任意で選択される。
【００１３】
また、上述の把持構成２は、把持装置２２と、把持装置２２内に収容される複数の第二吸着部品２４及び摩耗防止パッド２６１並びに摩耗防止パッド２６２とを備える。
【００１４】
前記把持装置２２は、把持本体２２１と、把持本体２２１の前端面に形成される把持面と、把持本体２２１の後端面に形成される溝部２２２と、溝部２２２に形成される複数の内部嵌め溝２２３及び仕切り板２２４と、溝部２２２に形成される少なくとも１本のロックピン２２５とを有する。溝部２２２は把持本体２２１の延伸方向に沿って形成され、滑り台構成１の収容に用いられる。各内部嵌め溝２２３は溝部２２２の上端及び底端にそれぞれ形成され、また、各仕切り板２２４は対称に把持本体２２１の延伸方向に沿って溝部２２２に形成され、且つ溝部２２２を主溝区及び主溝区の両側に対称に配置される左側区及び右側区に隔てる。各前記仕切り板２２４の上端及び底端には上フック部２２４１及び下フック部２２４２をそれぞれ有する。前記ロックピン２２５は滑り台構成１が溝部２２２の主溝区に収容される際に、対応して滑溝１２５を挿通する。
【００１５】
前記第二吸着部品２４は各内部嵌め溝２２３にそれぞれ嵌設される。実施する時には、第二吸着部品２４は第一吸着部品１４に相互に組み合わせられる磁石或いは磁性金属から任意で選択される。
【００１６】
各摩耗防止パッド２６１及び摩耗防止パッド２６２は、左側区及び右側区の輪郭に対応して形成され、摩耗防止パッド２６１及び摩耗防止パッド２６２の延伸方向に沿って形成される退却用収納溝２６１１及び退却用収納溝２６２１を有し、各摩耗防止パッド２６１及び摩耗防止パッド２６２が各仕切り板２２４に重置され、且つ一部が左側区及び右側区に収容される。前記摩耗防止パッド２６１及び摩耗防止パッド２６２の上端及び底端は上フック部２２４１及び下フック部２２４２に対応して相互に組み合わせられる上端フック部品２６１２、上端フック部品２６２２、下端フック部品２６１３、及び下端フック部品２６２３を有し、且つ各摩耗防止パッド２６１及び摩耗防止パッド２６２は滑り台本体１２１の上部位置決め溝１３１及び下部位置決め溝１３２に組み合わせられ、位置決め用凸部２６１４が選択的に設置可能である。実施する時には実施する時には、各摩耗防止パッド２６１及び摩耗防止パッド２６２が各仕切り板２２４に重置されると、把持本体２２１の後端面から若干突出する。
【００１７】
上述の枢設セット３は、ワッシャー３２と、弾性パッド３４と、ボルト３６とを備える。前記ボルト３６はワッシャー３２と、弾性パッド３４と、滑溝１２５とに順に挿通された後に、ロックピン２２５によりロックされる。
【００１８】
前記弾性部品４は略くの字型を呈し、一端が位置限定ピン１２６に環装され、他端がロックピン２２５に環装される。
【００１９】
従って、以上が本考案に係る好ましい実施形態によるカメラ把持装置の各部の構成の説明である。続いて、本考案の装設方式及び使用上の特徴を以下に説明する。
【００２０】
まず、本考案に係るカメラ把持装置１００は滑り台構成１の貼り付け面１２３がカメラＰの所定の箇所に貼設され、使用者がカメラＰを把持する際に、把持構成２の把持装置２２によって使用者が把持する面積が増加されるため、カメラＰを把持しやすくする。
【００２１】
また、使用者がカメラＰを持ち上げる場合、把持構成２の把持装置２２を下に向けて引き、把持装置２２を滑り台構成１に対して下に向けて滑動して移動させると、把持本体２２１のロックピン２２５が滑り台本体１２１の滑溝１２５に沿って下に向けて移動し、且つ弾性部品４が圧縮され、把持本体２２１内に覆設される摩耗防止パッド２６１及び摩耗防止パッド２６２の位置決め用凸部２６１４が滑り台本体１２１の定位孔１３１から下部位置決め溝１３２まで移動し、把持本体２２１が限界まで下に移動し(即ち、滑り台本体１２１の上端面及び把持本体２２１の溝部２２２の上端が相互に当接される)、弾性部品４が回復力により位置限定ピン１２６及びロックピン２２５にそれぞれ当接され、把持本体２２１に対して下に向けて力をかけ、第一吸着部品１４及び第二吸着部品２４の磁気吸引力により把持本体２２１がカメラＰの下端縁の位置に維持されるため、使用者がカメラを持ちやすくなる。把持本体２２１を元に戻す場合、把持構成２の把持装置２２を上に向けて押し、把持装置２２を滑り台構成１に対して上に向けて滑動して移動させるのみで復位する。
【００２２】
また、各摩耗防止パッド２６１及び摩耗防止パッド２６２が把持本体２２１の後端面に若干突出するため、把持本体２２１の作動の時にカメラＰに直接摩擦することがない。
【００２３】
（第２実施形態）
本考案の第２実施形態の構成を図１０及び図１１に示す。滑り台構成１と、滑り台構成１に滑動可能に設置される把持構成２と、滑り台構成１及び把持構成２を枢設させる枢設セット３と、把持構成２に当接される弾性部品４とを備える。把持構成２、枢設セット３、及び弾性部品４等の部品は上述の実施形態と同じであるため、再述しない。差異は、前記滑り台構成１が、滑り台１２と、背面カバー１６と、滑り台１２及び背面カバー１６をロックさせるための複数のロック部品１７とを備える点のみである。
【００２４】
前記滑り台１２は上述の実施形態と大方同じであるため、再述しない。差異は、滑り台本体１２１の上端及び底端の外部嵌め溝１２７'に滑り台螺合孔１２８がさらに設けられる点のみである。
【００２５】
前記背面カバー１６は、背面カバー本体１６１と、背面カバー本体１６１の後端面に形成される背面カバー当接面と、背面カバー本体１６１の上端及び底端にそれぞれ形成されると共に背面カバー本体１６１の前端面に向けて延伸される２つの上部ロック板１６２及び下部ロック板１６３と、上部ロック板１６２及び下部ロック板１６３を貫通させて形成されると共に各滑り台螺合孔１２８に組み合わせられてロック部品１７が挿通される複数のロック孔１６４とを有する。実施する時には、前記背面カバー１６の貼り付け面はカメラＰの輪郭に対応して形成される曲面である。
【００２６】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２７】
１００カメラ把持装置
１滑り台構成
１２滑り台
１２１滑り台本体
１２３貼り付け面
１２４後端収納溝
１２５滑溝
１２６位置限定ピン
１２７外部嵌め溝
１２７'外部嵌め溝
１２８滑り台螺合孔
１３１上部位置決め溝
１３２下部位置決め溝
１４第一吸着部品
１６背面カバー
１６１背面カバー本体
１６２上部ロック板
１６３下部ロック板
１６４ロック孔
１７ロック部品
２把持構成
２２把持装置
２２１把持本体
２２２溝部
２２３内部嵌め溝
２２４仕切り板
２２５ロックピン
２２４１上フック部
２２４２下フック部
２４第二吸着部品
２６１、２６２摩耗防止パッド
２６１１、２６２１退却用収納溝
２６１２、２６２２上端フック部品
２６１３、２６２３下端フック部品
２６１４位置決め用凸部
３枢設セット
３２ワッシャー
３４弾性パッド
３６ボルト
４弾性部品
Ｐカメラ
【図１】
0003199747.tif 000003
【図２】
0003199747.tif 000004
【図３】
0003199747.tif 000005
【図４】
0003199747.tif 000006
【図５】
0003199747.tif 000007
【図６】
0003199747.tif 000008
【図７】
0003199747.tif 000009
【図８】
0003199747.tif 000010
【図９】
0003199747.tif 000011
【図１０】
0003199747.tif 000012
【図１１】
0003199747.tif 000013
【手続補正書】
【提出日】平成27年7月7日(2015.7.7)
【手続補正１】
【補正対象書類名】実用新案登録請求の範囲
【補正対象項目名】全文
【補正方法】変更
【補正の内容】
【実用新案登録請求の範囲】
【請求項１】
滑り台本体と、前記滑り台本体の前端面に形成される位置限定ピンと、前記滑り台本体の後端面に形成される後端収納溝と、前記滑り台本体の延伸方向に沿って前記滑り台本体を貫通して形成される滑溝と、上下に配置されて前記滑り台本体の同側の端面に形成される上部位置決め溝及び下部位置決め溝とを有する滑り台と、前記滑り台の外周縁に滑動可能に覆設され、前記滑り台に沿って第一位置及び第二位置の間で滑動し、把持本体と、前記把持本体の前端面に形成される把持面と、前記把持本体の後端面に形成されると共にそれの延伸方向に沿って形成されると共に前記滑り台を収容する溝部と、前記溝部に形成されると共に前記滑溝に挿通される少なくとも１つのロックピンとを有する把持装置と、前記滑り台及び前記把持装置を枢設させ、ワッシャー及び前記ワッシャーに挿通した後に前記ロックピンに螺接されるボルトを少なくとも有する枢設セットと、両端が前記位置限定ピン及び前記ロックピンにそれぞれ環装され、前記把持装置に支持力を提供する弾性部品と、
前記後端収納溝の両側に対称に固設され、それらの内の何れか１つが前記上部位置決め溝及び前記下部位置決め溝に対応する位置決め用凸部を有する複数の摩耗防止パッドとを備え、ここでは、弾性部品、位置決め用凸部、前記上部位置決め溝、及び前記下部位置決め溝は相互に作用し、前記把持装置を前記滑り台に対する第一位置或いは第二位置に位置を限定させることを特徴とするカメラ把持装置。
【請求項２】
前記滑り台本体の上端及び底端の両端にはさらに第一吸着部品がそれぞれ設置され、前
記溝部の上端及び底端の両端にはさらに前記第一吸着部品に組み合わせられる第二吸着部
品がそれぞれ設置されることを特徴とする、請求項１に記載のカメラ把持装置。
【請求項３】
前記溝部上端及び底端の両端には、前記第二吸着部品の収容に用いられる内部嵌め溝が
それぞれ設けられ、前記滑り台本体の上端及び底端の両端には前記内部嵌め溝の位置に対
応する外部嵌め溝がそれぞれ設けられ、前記第一吸着部品の収容に使用されることを特徴
とする、請求項２に記載のカメラ把持装置。
【請求項４】
前記溝部は対称になる複数の仕切り板をさらに有し、各前記仕切り板の対称になる上端
及び底端の両端は上フック部及び下フック部をそれぞれ有し、各前記摩耗防止パッドは前
記上フック部及び前記下フック部に対応する相互に組み合わせられる２つの上端フック部
品及び下端フック部品を具備することを特徴とする、請求項３に記載のカメラ把持装置。
【請求項５】
前記滑り台本体の後端面には、背面カバーがさらに覆設されることを特徴とする、請求
項１に記載のカメラ把持装置。
【請求項６】
前記溝部上端及び底端の両端には、第二吸着部品を収容させるための内部嵌め溝が
それぞれ設けられることを特徴とする、請求項５に記載のカメラ把持装置。
【請求項７】
前記滑り台本体の上端及び底端には前記内部嵌め溝の位置に対応する外部嵌め溝がそれ
ぞれ設けられ、前記外部嵌め溝には滑り台螺合孔が設けられ、前記背面カバーは背面カバ
ー本体と、前記背面カバー本体の上端及び底端に設置されて前記背面カバー本体の前端面
に向けて延伸される２枚の上部ロック板及び下部ロック板と、前記上部ロック板及び前記
下部ロック板を貫通して形成されると共に各前記滑り台螺合孔に組み合わせられる複数の
ロック孔とを有し、前記上部ロック板及び前記下部ロック板が前記外部嵌め溝に挿着され
ることでロック部品を挿通させてロックし、前記背面カバーを前記滑り台本体の後端面に
固設することを特徴とする、請求項６に記載のカメラ把持装置。
【請求項８】
前記溝部は対称になる複数の仕切り板をさらに有し、各前記仕切り板の対称になる上端
及び底端には上フック部及び下フック部をそれぞれ有し、各前記摩耗防止パッドは前記上
フック部及び前記下フック部に対応する相互に組み合わせられる２つの上端フック部品及
び下端フック部品を有することを特徴とする、請求項７に記載のカメラ把持装置。